(57)【要約】      （修正有）【課題】シーリング材の防水性能の低下を防止すると共に、水抜き穴の排水性能の低下を防止できるバックアップ材付き水切り材を提供する。【解決手段】バックアップ材付き水切り材１６は、横目地１２に設けられるシーリング材１４と対向して配置される垂直下部１７ａを有する水切り材１７と、垂直下部１７ａの正面に設けられ、水抜き穴１８ａを有する第１バックアップ材１８と、シーリング材１４と第１バックアップ材１８との間に挟み込まれる第２バックアップ材１９とを備える。前記第１バックアップ材１８は、第２バックアップ材１９よりも硬度が大きく、第１バックアップ材１８の厚みの範囲内において最大限の大きさの水抜き孔１８ａを確保し、水抜き機能も維持できる硬さに形成され、第２バックアップ材１９は、第１バックアップ材１８よりも硬度が小さく、シーリング材１４の伸縮性を確保することができる硬さに形成されている。【選択図】図２
0003183566.tif 000002
【実用新案登録請求の範囲】
【請求項１】
縦張りされた上下の中空押出成形板の間に形成される横目地内に設けられるシーリング材よりも室内側に配置され、前記上側の中空押出成形板の中空部に浸入した水を前記下側の中空押出成形板の中空部に導くためのバックアップ材付き水切り材において、
前記シーリング材よりも室内側に前記シーリング材と対向して配置される垂直下部を有し、前記シーリング材の長さ方向に延びる形状の水切り材と、
前記垂直下部の前記シーリング材側の正面に設けられ、水抜き穴を有する第１バックアップ材と、
前記第１バックアップ材の正面に設けられ、前記シーリング材と前記第１バックアップ材との間に挟み込まれる第２バックアップ材とを備え、
前記第１バックアップ材は、前記第２バックアップ材よりも硬度が大きく、前記シーリング材から受ける押圧力に抗して前記水抜き穴の水抜き機能を確保することができる硬さに形成され、
前記第２バックアップ材は、前記第１バックアップ材よりも硬度が小さく、前記シーリング材の伸縮性を確保することができる硬さに形成されていることを特徴とするバックアップ材付き水切り材。
【請求項２】
前記第１バックアップ材は、未発泡体で形成され、前記第２バックアップ材は、発泡体で形成されていることを特徴とする請求項１に記載のバックアップ材付き水切り材。
【請求項３】
前記水抜き穴は、前記第１バックアップ材に沿って多数設けられ、前記それぞれの水抜き穴の方向が鉛直方向に形成されていることを特徴とする請求項１又は２に記載のバックアップ材付き水切り材。
【請求項４】
前記水切り材は、板状の前記垂直下部と、当該垂直下部の上縁部と結合し前記横目地に配置される水平部と、この水平部の室内側縁部と結合し前記上側の中空押出成形板の室内側の背面に沿って上方向に延びる垂直上部とを有し、
前記第１及び第２バックアプ材は、それぞれ平帯状の板状体であることを特徴とする請求項１乃至３のいずれかに記載のバックアップ材付き水切り材。
【請求項５】
請求項１乃至４のいずれかに記載のバックアップ材付き水切り材を備えることを特徴とする横目地の防水構造。
【請求項６】
前記バックアップ材付き水切り材は、下地材に設けられ、この下地材は、躯体に設けられていることを特徴とする請求項５に記載の横目地の防水構造。
【請求項７】
前記中空押出成形板は、互いに間隔を隔てて平行して形成されている室外側の第１板状部と室内側の第２板状部とを有し、前記第１板状部と前記第２板状部とが互いに複数のリブを介して結合し、このリブとリブとの間に中空部が縦方向に形成され、
前記第２バックアップ材は、前記上下の中空押出成形板のそれぞれの前記第１板状部の上下の端面の間に形成される横目地内にその一部又は全部が収容されていることを特徴とする請求項５又は６に記載の横目地の防水構造。
【考案の詳細な説明】
【技術分野】
【０００１】
本考案は、縦張りされた上下の中空押出成形板の間に形成される横目地内に設けられるバックアップ材付き水切り材及び横目地の防水構造に関する。
【背景技術】
【０００２】
従来より、縦張りされた上下の中空押出成形板で建物の外壁を形成することが行われており、この上下の中空押出成形板の間に形成される横目地の防水構造の一例として、横目地内にシーリング材が設けられ、このシーリング材よりも室内側に水切り材が配置されるものがある（例えば、特許文献１参照。）。
【０００３】
この水切り材の垂直下部の正面には、バックアップ材が取り付けられ、このバックアップ材は、横目地の目地底を形成し、横目地に充填されるシーリング材をバックアップすることができるものである。
【０００４】
この横目地の防水構造によると、例えば何らかの原因でシーリング材が損傷して、雨水等の水が室外側から上側の中空押出成形板の中空部に浸入したときに、この水をバックアップ材に透過させて下側の中空押出成形板の中空部に導くことができる。そして、この下側の中空押出成形板の中空部に導かれた水は、最終的には、パイプを介して室外に排出される。
【先行技術文献】
【特許文献】
【０００５】
【特許文献１】特開平６−５７８３０号公報
【考案の概要】
【考案が解決しようとする課題】
【０００６】
上記従来の横目地の防水構造では、横目地内のシーリング材が三面接着しないように、バックアップ材として軟質材（クッション性を有する材料）を使用する必要がある。しかし、このようなバックアップ材は、軟質材であっても水の透過量が少ないため、水を効率よく透過させて下方に排出することが困難である。
【０００７】
このため、水をバックアップ材に対して効率よく通すために、バックアップ材に水抜き穴を形成することが考えられるが、軟質材でバックアップ材を形成すると、バックアップ材の厚み内で形成できる水抜き穴の大きさは限定されたものとなり、水を効率よく透過させようとしても或る一定の限界が生じる。また、バックアップ材の硬度を大きくするとある程度の大きさの水抜き穴が形成できるものの、横目地内のシーリング材が三面接着状態となるためシーリング材の追従性が低下し、建物の層間変位によって壁面にずれが発生した場合にシーリング材が損傷することがある。
【０００８】
本考案は、上記のような課題を解決するためになされたものであり、シーリング材の防水性能の低下を防止することができると共に、水抜き穴の排水性能の低下を防止でき、更に、水抜き穴が埃等によって目詰まりすることを抑制することができるバックアップ材付き水切り材及び横目地の防水構造を提供することを目的としている。
【課題を解決するための手段】
【０００９】
本考案に係るバックアップ材付き水切り材は、縦張りされた上下の中空押出成形板の間に形成される横目地内に設けられるシーリング材よりも室内側に配置され、前記上側の中空押出成形板の中空部に浸入した水を前記下側の中空押出成形板の中空部に導くためのバックアップ材付き水切り材において、前記シーリング材よりも室内側に前記シーリング材と対向して配置される垂直下部を有し、前記シーリング材の長さ方向に延びる形状の水切り材と、前記垂直下部の前記シーリング材側の正面に設けられ、水抜き穴を有する第１バックアップ材と、前記第１バックアップ材の正面に設けられ、前記シーリング材と前記第１バックアップ材との間に挟み込まれる第２バックアップ材とを備え、前記第１バックアップ材は、前記第２バックアップ材よりも硬度が大きく、前記シーリング材から受ける押圧力に抗して前記水抜き穴の水抜き機能を確保することができる硬さに形成され、前記第２バックアップ材は、前記第１バックアップ材よりも硬度が小さく、前記シーリング材の伸縮性を確保することができる硬さに形成されていることを特徴とするものである。
【００１０】
この考案に係るバックアップ材付き水切り材によると、このバックアップ材付き水切り材が設けられる横目地は、シーリング材によって防水機能が確保されているが、例えば何らかの原因によって、雨水等の水が室外から上側の中空押出成形板の中空部に浸入したときは、この浸入した水を第１バックアップ材の水抜き穴に通して下側の中空押出成形板の中空部に導くことができる。そして、この下側の中空押出成形板の中空部に導かれた水は、例えば室外に排出される。
【００１１】
そして、第１バックアップ材は、第２バックアップ材よりも硬度が大きく、当該第１バックアップ材の厚みの範囲内において多数の水抜き孔を確保することができるので、水を良好に排出することができる。また、第１バックアップ材は、硬度が大きい材料で作ることができるので、剛性が高く、第１バックアップ材に対して比較的大きい穴径の水抜き穴を形成することが可能である。これによって、水抜き穴の排水性能の向上を図ることができ、水抜き穴が埃等によって目詰まりし難くすることができる。
【００１２】
更に、第２バックアップ材は、第１バックアップ材よりも硬度が小さく、シーリング材の三面接着による損傷を防止することができる硬さ、即ち、シーリング材の伸縮性を確保することができる硬さに形成されているので、第２バックアップ材がシーリング材に対して三面接着防止材として機能することができる。これにより、シーリング材の防水性能の低下を防止することができる。
【００１３】
つまり、シーリング材は、上下の中空押出成形板の横目地を形成する上下の各端面に対して二面接着して、防水機能を発揮することができる。そして、このシーリング材は、横目地の奥側の第２バックアップ材に接着することがあったとしても、第２バックアップ材は、シーリング材が三面接着状態となることを防ぐことができる硬さに形成されているので、シーリング材の三面接着による損傷を防止することができる。
【００１４】
この考案に係るバックアップ材付き水切り材において、前記第１バックアップ材は、未発泡体で形成され、前記第２バックアップ材は、発泡体で形成されているものとするとよい。
【００１５】
このようにすると、第２バックアップ材よりも硬度が大きく、シーリング材から受ける押圧力に抗して水抜き穴の水抜き機能を確保することができる硬さの第１バックアップ材を比較的簡単に製造することができる。そして、第１バックアップ材よりも硬度が小さく、シーリング材の三面接着による損傷を防止することができる硬さの第２バックアップ材も比較的簡単に製造することができる。
【００１６】
また、第２バックアップ材を未発泡体ではなく、発泡体で形成することによって、第２バックアップ材の表面に多数の凹凸を形成することができる。これによって、第２バックアップ材がシーリング材と接着することがあったとしても、両者の接着面積を小さくすることができるので、この点でも、シーリング材の三面接着による損傷を防止することができる。
【００１７】
このように、第２バックアップ材とシーリング材との接着面積を小さくできるのは、第２バックアップ材の表面に多数の凹凸が形成されるので、この多数の凸部にシーリング材が接着したとしても接着面積を小さくすることができるためである。また、第２バックアップ材は軟質材であるので、第２バックアップ材とシーリング材とが互いに接着したとしても、第２バックアップ材の変形によって層間変位によるシーリング材の損傷を防ぐことができる。
【００１８】
この考案に係るバックアップ材付き水切り材において、前記水抜き穴は、前記第１バックアップ材に沿って多数設けられ、前記それぞれの水抜き穴の方向が鉛直方向に形成されているものとするとよい。
【００１９】
このようにすると、上側の中空押出成形板の中空部に浸入した雨水等の水を、第１バックアップ材に沿って多数設けられているそれぞれの水抜き穴に通して鉛直下方向に排水することができる。これによって、水が第１バックアップ材上に滞留しないように速やかに排水することができ、水が室内側に浸入する可能性を解消することができる。
【００２０】
この考案に係るバックアップ材付き水切り材において、前記水切り材は、板状の前記垂直下部と、当該垂直下部の上縁部と結合し前記横目地に配置される水平部と、この水平部の室内側縁部と結合し前記上側の中空押出成形板の室内側の背面に沿って上方向に延びる垂直上部とを有し、前記第１及び第２バックアプ材は、それぞれ平帯状の板状体であるものとするとよい。
【００２１】
このようにすると、上側の中空押出成形板の中空部に浸入した水を、水切り材の水平部の上面及び水抜き穴に通して下側の中空押出成形板の中空部の上側開口部に導くことができる。そして、水切り材の垂直上部は、水平部と結合し、上側の中空押出成形板の室内側の背面に沿って上方向に延びているので、水切り材の水平部上の水が室内側に浸入することを防止できる。また、第１及び第２バックアップ材は、それぞれ平帯状の板状体で形成され、かつ、垂直下部が板状に形成されているので、横目地に設けられているシーリング材を、その全範囲に亘って均一な力でバックアップ（保持）することができる。
【００２２】
本考案に係る横目地の防水構造は、本考案に係るバックアップ材付き水切り材を備えることを特徴とするものである。
【００２３】
本考案に係る横目地の防水構造は、本考案に係るバックアップ材付き水切り材を備えており、このバックアップ材付き水切り材は、上記と同様の作用を奏することができる。
【００２４】
本考案に係る横目地の防水構造において、前記バックアップ材付き水切り材は、下地材に設けられ、この下地材は、躯体に設けられているものとするとよい。
【００２５】
このようにすると、バックアップ材付き水切り材を横目地に取り付けるための部材を別に用意して、この部材を建物の躯体に設ける必要がないので、この横目地の防水構造を施工する手間と費用を軽減することができる。
【００２６】
本考案に係る横目地の防水構造において、前記中空押出成形板は、互いに間隔を隔てて平行して形成されている室外側の第１板状部と室内側の第２板状部とを有し、前記第１板状部と前記第２板状部とが互いに複数のリブを介して結合し、このリブとリブとの間に中空部が縦方向に形成され、前記第２バックアップ材は、前記上下の中空押出成形板のそれぞれの前記第１板状部の上下の端面の間に形成される横目地内にその一部又は全部が収容されているものとするとよい。
【００２７】
このように、上下の中空押出成形板のそれぞれの第１板状部の上下の端面の間に形成される横目地内に、第２バックアップ材の一部又は全部が収容されるようにすると、この第２バックアップ材によってシーリング材を確実にバックアップすることができ、シーリング材による防水機能を確実に発揮させることができる。
【考案の効果】
【００２８】
この考案に係るバックアップ材付き水切り材及び横目地の防水構造によると、シーリング材の防水性能の低下を防止することができると共に、水抜き穴の排水性能の低下を防止でき、更に、水抜き穴が埃等によって目詰まりすることを抑制することができる。これによって、雨水等の水が室外から横目地を通って室内側に浸入することを確実に防止することができる。
【図面の簡単な説明】
【００２９】
【図１】この考案の一実施形態に係る横目地の防水構造を示す縦断面図である。
【図２】図１の横目地の防水構造を示す部分拡大縦断面図である。
【図３】図１の横目地の防水構造を示す部分切欠き斜視図である。
【図４】図１の横目地の防水構造に使用されているバックアップ材付き水切り材を示す部分切欠き斜視図である。
【図５】図４のバックアップ材付き水切り材を示すＡ部分拡大斜視図である。
【考案を実施するための形態】
【００３０】
以下、本考案に係るバックアップ材付き水切り材及び横目地の防水構造の一実施形態を、図１〜図５を参照して説明する。図１に示すように、縦張りされた上下の中空押出成形板１１で例えば建物の外壁が形成され、この上下の中空押出成形板１１の間に形成される横目地１２に防水構造１３が設けられている。この横目地の防水構造１３は、水平方向に延びる横目地１２内にシーリング材１４が設けられ、このシーリング材１４よりも室内１５側にバックアップ材付き水切り材１６が配置されている。
【００３１】
そして、図２に示すように、このバックアップ材付き水切り材１６を構成する水切り材１７の垂直下部１７ａの正面には、第１バックアップ材１８が貼着されて取り付けられ、この第１バックアップ材１８の正面には、第２バックアップ材１９が貼着されて取り付けられている。これら第１及び第２バックアップ材１８、１９は、横目地１２の目地底を形成し、横目地１２に充填されるシーリング材１４をバックアップ（保持）することができるものである。
【００３２】
この図１及び図２に示す横目地の防水構造１３によると、例えば何らかの原因でシーリング材１４が損傷して、雨水等の水が室外２０側から横目地１２（図１及び図２に現れていない上側の横目地）を通って上側の中空押出成形板１１の中空部１１ａに浸入したときに、この水を第１バックアップ材１８に設けられている多数の各水抜き穴１８ａに通して下側の中空押出成形板１１の中空部１１ａに導くことができる。そして、この下側の中空押出成形板１１の中空部１１ａに導かれた水は、最終的には図示しないパイプを介して室外２０に排出される。
【００３３】
図１に示す中空押出成形板１１は、例えば押出成形セメント板である。この中空押出成形板１１は、互いに間隔を隔てて平行して形成されている室外２０側の第１板状部１１ｂと室内１５側の第２板状部１１ｃとを有し、第１板状部１１ｂと第２板状部１１ｃとが互いに複数のリブ１１ｄを介して結合し、このリブ１１ｄとリブ１１ｄとの間に中空部１１ａが縦方向に形成されている。
【００３４】
そして、図１に示す横目地の防水構造１３における中空押出成形板１１の取付方向は、中空部１１ａの長さ方向が縦方向（鉛直方向）となるように、この中空押出成形板１１が建物の躯体２１に取り付けられている（所謂、「縦張り」されている。）。
【００３５】
つまり、図１に示すように、建物の躯体２１である鉄骨梁の上面には、ブラケット２２が溶接固定されている。このブラケット２２には、断面Ｌ字形の左右に延在する下地材２３の一方の垂直片部２３ａが溶接固定されている。従って、下地材２３は、その他方の水平片部２３ｂが躯体２１の上面と平行となって左右に延在する。
【００３６】
この下地材２３の垂直片部２３ａには、Ｚクリップ２４を介して中空押出成形板１１が取り付けられている。すなわち、中空押出成形板１１の中空部１１ａには、プレートナット２５が挿入され、中空押出成形板１１の背面には、Ｚクリップ２４の一端を貫通したボルト２６がプレートナット２５に螺合されている。中空押出成形板１１は、背面がパッキン２７を介して下地材２３の垂直片部２３ａに当接されている。つまり、中空押出成形板１１は、背面と、この背面に固定されたＺクリップ２４とで垂直片部２３ａを挟持して下地材２３に取り付けられている。また、中空押出成形板１１は、下地材２３の水平片部２３ｂ（重量受け部）によってその下端が支持され、中空押出成形板１１の重量が受けられている。
【００３７】
次に、図４及び図２を参照してバックアップ材付き水切り材１６を説明する。バックアップ材付き水切り材１６は、シーリング材１４の長さ方向に延びる形状であり、水切り材１７と、第１バックアップ材１８と、第２バックアップ材１９とを備えている。そして、これら第１及び第２バックアップ材１８、１９は、それぞれ平帯状の板状体である。
【００３８】
図４に示すように、水切り材１７は、例えば金属製の板状体を屈曲して形成されたものであり、垂直下部１７ａと、水平部１７ｂと、垂直上部１７ｃとを有している。
【００３９】
図２に示すように、垂直下部１７ａは、シーリング材１４よりも室内１５側にシーリング材１４と対向して配置され、かつ、下側の中空押出成形板１１のリブ１１ｄの上端部に形成された切欠き溝１１ａ内に垂直下部１７ａの下部が収容されるように配置されている。
【００４０】
水平部１７ｂは、垂直下部１７ａの上縁部と結合し、上側の中空押出成形板１１の下端面と下地材２３の水平片部２３ｂの上面との間に挟み込まれた状態で横目地１２内に配置されている。
【００４１】
垂直上部１７ｃは、水平部１７ｂの室内側縁部と結合し、上側の中空押出成形板１１の室内１５側の背面に沿って上方向に延びる形状であり、パッキン２７と下地材２３の垂直片部２３ａとの間に挟み込まれた状態で配置されている。
【００４２】
第１バックアップ材１８は、垂直下部１７ａのシーリング材１４側の正面に貼着して設けられ、多数の水抜き穴１８ａを有している。この多数の水抜き穴１８ａは、第１バックアップ材１８に沿って設けられ、それぞれの水抜き穴１８ａの方向が鉛直方向に形成されている。
【００４３】
第２バックアップ材１９は、第１バックアップ材１８のシーリング材１４側の正面に貼着して設けられ、シーリング材１４と第１バックアップ材１８との間に挟み込まれるものである。つまり、図２に示すように、第２バックアップ材１９は、上下の中空押出成形板１１のそれぞれの第１板状部１１ｂの上下の端面１１ｆ、１１ｇの間に形成される横目地１２内にその一部又は全部が収容されている。
【００４４】
また、第１バックアップ材１８は、第２バックアップ材１９よりも硬度が大きく、シーリング材１４から受ける押圧力に抗して水抜き穴１８ａの水抜き機能を確保することができる硬さに形成されている。つまり、第１バックアップ材１８は、シーリング材１４から受ける押圧力に抗して、水抜き穴１８ａが水を通すことができる程度の穴径を確保できるように、所定の硬度の材料で所定の形状に形成されている。
【００４５】
第２バックアップ材１９は、第１バックアップ材１８よりも硬度が小さく、シーリング材１４の伸縮性を確保することができる硬さに形成されている。
【００４６】
この第１バックアップ材１８は、例えばポリプロピレン、塩化ビニル、ポリスチレン等の未発泡体で形成されている。また、第２バックアップ材１９は、例えばポリエチレンやシリコン系の離型性のある発泡体で形成されている。
【００４７】
上記のように第１及び第２バックアップ材１８、１９を形成すると、第２バックアップ材１９よりも硬度が大きく、シーリング材１４から受ける押圧力に抗して水抜き穴１８ａの水抜き機能を確保することができる硬さの第１バックアプ材を比較的簡単に製造することができる。
【００４８】
そして、第１バックアップ材１８よりも硬度が小さく、シーリング材１４の伸縮性を確保することができる硬さの第２バックアップ材１９も比較的簡単に製造することができる。
【００４９】
また、第２バックアップ材１９を未発泡体ではなく、発泡体で形成することによって、第２バックアップ材１９の表面に多数の凹凸を形成することができる。これによって、第２バックアップ材１９がシーリング材１４と接着することがあったとしても、両者の接着面積を小さくすることができるので、シーリング材１４の三面接着による損傷を防止することができる。
【００５０】
このように、第２バックアップ材１９とシーリング材１４との接着面積を小さくできるのは、第２バックアップ材１９の表面に多数の凹凸が形成され、この多数の凸部がシーリング材１４の表面と接着することがあるからである。
【００５１】
なお、図２に示す２８は、断熱材であり、例えばロックウールである
次に、上記のように構成されたバックアップ材付き水切り材１６及び横目地の防水構造１３の作用について説明する。この図２に示すバックアップ材付き水切り材１６によると、このバックアップ材付き水切り材１６が設けられる横目地１２は、シーリング材１４によって防水機能が確保されているが、例えば何らかの原因によって、雨水等の水が室外２０から横目地１２（図２には表れていない上側の横目地）を通って図２に示す上側の中空押出成形板１１の中空部１１ａに浸入したときは、この浸入した水を矢印２９で示すように第１バックアップ材１８の水抜き穴１８ａに通して下側の中空押出成形板１１の中空部１１ａに導くことができる。そして、この下側の中空押出成形板１１の中空部１１ａに導かれた水は、例えば図示しないパイプを介して室外２０に排出される。
【００５２】
そして、第１バックアップ材１８は、第２バックアップ材１９よりも硬度が大きく、シーリング材１４から受ける押圧力に抗して水抜き穴１８ａの水抜き機能を確保することができる硬さに形成されているので、水を良好に排出することができる。また、第１バックアップ材１８は、硬度が大きい材料で作ることができるので、剛性が高く、第１バックアップ材１８に対して比較的大きい穴径の水抜き穴１８ａを形成することが可能である。これによって、水抜き穴１８ａの排水性能の向上を図ることができ、水抜き穴１８ａが埃等によって目詰まりし難くすることができる。
【００５３】
更に、第２バックアップ材１９は、第１バックアップ材１８よりも硬度が小さく、シーリング材１４の三面接着による損傷を防止することができる硬さ、即ち、シーリング材１４の伸縮性を確保することができる硬さに形成されているので、第２バックアップ材１９がシーリング材１４に対して三面接着防止材として機能することができる。これにより、シーリング材１４の防水性能の低下を防止することができる。
【００５４】
つまり、シーリング材１４は、上下の第１板状部１１ｂの横目地１２を形成する上下の各端面１１ｆ、１１ｇに対して二面接着して防水機能を発揮することができる。そして、このシーリング材１４は、横目地１２の奥側の第２バックアップ材１９に接着することがあったとしても、第２バックアップ材１９は、シーリング材１４が三面接着状態となることを防ぐことができる硬さに形成されているので、シーリング材１４の三面接着による損傷を防止することができる。
【００５５】
このように、図２に示すバックアップ材付き水切り材１６及び横目地の防水構造１３によると、シーリング材１４の防水性能の低下を防止することができると共に、水抜き穴１８ａの排水性能の低下を防止でき、更に、水抜き穴１８ａが埃等によって目詰まりすることを抑制することができる。これによって、雨水等の水が室外２０から横目地１２を通って室内１５側に浸入することを確実に防止することができる。
【００５６】
そして、図５に示すように、水抜き穴１８ａは、第１バックアップ材１８に沿って多数設けられ、それぞれの水抜き穴１８ａの方向が鉛直方向に形成されているので、上側の中空押出成形板１１の中空部１１ａに浸入した雨水等の水を、第１バックアップ材１８に沿って多数設けられているそれぞれの水抜き穴１８ａに通して鉛直下方向に排水することができる。これによって、水が第１バックアップ材１８上に滞留しないように速やかに排水することができ、水が室内１５側に浸入する可能性を解消することができる。
【００５７】
そして、図４及び図２に示すバックアップ材付き水切り材１６は、上側の中空押出成形板１１の中空部１１ａに浸入した水を、水切り材１７の水平部１７ｂの上面及び多数の水抜き穴１８ａに通して下側の中空押出成形板１１の中空部１１ａの上側開口部に導くことができる。そして、水切り材１７の垂直上部１７ｃは、水平部１７ｂと結合し、上側の中空押出成形板１１の室内１５側の背面に沿って上方向に延びているので、水切り材１７の水平部１７ｂ上の水が室内１５側に浸入することを防止できる。また、第１及び第２バックアップ材１８、１９は、それぞれ平帯状の板状体で形成され、かつ、垂直下部１７ａが板状に形成されているので、横目地１２に設けられているシーリング材１４を、その全範囲に亘って均一な力でバックアップ（保持）することができる。
【００５８】
また、図１に示すように、バックアップ材付き水切り材１６は、下地材２３に設けられ、この下地材２３は、躯体２１に設けられているので、バックアップ材付き水切り材１６を横目地１２に取り付けるための部材を別に用意して、この部材を建物の躯体２１に設ける必要がない。よって、この横目地の防水構造１３を施工する手間と費用を軽減することができる。
【００５９】
更に、図２に示すように、上下の中空押出成形板１１のそれぞれの第１板状部１１ｂの上下の端面１１ｆ、１１ｇの間に形成される横目地１２内に、第２バックアップ材１９の一部又は全部が収容されるようにすると、この第２バックアップ材１９によってシーリング材１４を確実にバックアップすることができ、シーリング材１４による防水機能を確実に発揮させることができる。
【００６０】
ただし、上記実施形態では、水切り材１７の形状を図４に示すものとしたが、これ以外の形状としてもよい。要は、水切り材は、第１及び第２バックアップ材１８、１９が取り付けられて、この第１及び第２バックアップ材１８、１９によってシーリング材１４をバックアップすることができ、しかも、雨水等の水が室外２０から横目地１２等を通って室内１５側に浸入することを防止できるようにするものであればよい。
【００６１】
そして、上記実施形態では、図５に示すように、平帯状に形成された第１バックアップ材１８に設けられた多数の水抜き穴１８ａを、それぞれ貫通孔として形成したが、これに代えて、第１バックアップ材１８の一方の面に多数の溝を鉛直方向に形成し、この多数の溝が形成された面を水切り材１７の垂直下部１７ａの正面に貼り合せることによって多数の水抜き穴を形成してもよい。この多数の水抜き穴は、多数の溝と当該垂直下部１７ａの正面とによって形成されたものである。
【００６２】
また、上記実施形態では、第１バックアップ材１８を未発泡体で形成し、第２バックアップ材１９を発泡体で形成したが、これに限定するものではなく、これら第１及び第２バックアップ材１８、１９を未発泡体及び発泡体のいずれを使用して形成してもよい。ただし、第１バックアップ材１８は、水抜き穴１８ａの大きさを確保できるものとし、第２バックアップ材１９は、シーリング材１４の三面接着による損傷を防止することができるものとする。
【００６３】
更に、上記実施形態では、図２に示すように、第２バックアップ材１９は、上下の中空押出成形板１１のそれぞれの第１板状部１１ｂの上下の端面１１ｆ、１１ｇ間に形成される横目地１２内にその一部又は全部が収容されるように配置したが、これに代えて、第２バックアップ材１９の全体を中空押出成形板１１の中空部１１ａに配置して、上下の端面１１ｆ、１１ｇ間の横目地１２内に設けられたシーリング材１４をバックアップするようにしてもよい。
【産業上の利用可能性】
【００６４】
以上のように、本考案に係るバックアップ材付き水切り材及び横目地の防水構造は、シーリング材の防水性能の低下を防止することができると共に、水抜き穴の排水性能の低下を防止でき、更に、水抜き穴が埃等によって目詰まりすることを抑制することができる優れた効果を有し、このようなバックアップ材付き水切り材及び横目地の防水構造に適用するのに適している。
【符号の説明】
【００６５】
１１  中空押出成形板
１１ａ  中空部
１１ｂ  第１板状部
１１ｃ  第２板状部
１１ｄ  リブ
１１ｅ  切欠き溝
１１ｆ  端面
１１ｇ  端面
１２  横目地
１３  横目地の防水構造
１４  シーリング材
１５  室内
１６  バックアップ材付き水切り材
１７  水切り材
１７ａ  垂直下部
１７ｂ  水平部
１７ｃ  垂直上部
１８  第１バックアップ材
１８ａ  水抜き穴
１９  第２バックアップ材
２０  室外
２１  躯体
２２  ブラケット
２３  下地材
２３ａ  垂直片部
２３ｂ  水平片部
２４  Ｚクリップ
２５  プレートナット
２６  ボルト
２７  パッキン
２８  断熱材
２９  矢印
【図１】
0003183566.tif 000003
【図２】
0003183566.tif 000004
【図３】
0003183566.tif 000005
【図４】
0003183566.tif 000006
【図５】
0003183566.tif 000007